(57)【要約】【課題】ＰＭＤおよびＣＤに対する感度を低減させた光トランスポンダを提供すること。【解決手段】一実施形態では、光トランスポンダは、トランスポンダ内に集積され、光トランスポンダの光入力ポートに光学的に結合された微分群遅延（ＤＧＤ）軽減器と、光トランスポンダ内に集積され、ＤＧＤ軽減器に、またトランスポンダの電気的な出力ポートに光学的に結合された光受信器と、光トランスポンダ内に集積され、電気的な入力ポートに電気的に結合され、かつトランスポンダの光出力ポートに光学的に結合されたマルチレベル送信器とを備える。他の実施形態では、方法は、光トランスポンダ内に集積されたＤＧＤ軽減器を用いて、光入力信号を受信し、かつ処理するステップと、電気的な入力信号を受信し、電気的な入力信号のスペクトルを狭くし、電気的な入力信号を光出力信号に変換し、かつ光出力信号を送信するステップとを含む。【選択図】図１
2008139286.tif 000002
【特許請求の範囲】
【請求項１】
光トランスポンダであって、
前記光トランスポンダ内に集積され、前記光トランスポンダの光入力ポートに光学的に結合された微分群遅延（ＤＧＤ）軽減器と、
前記光トランスポンダ内に集積され、前記ＤＧＤ軽減器に、また前記光トランスポンダの電気的な出力ポートに光学的に結合された光受信器と、
前記光トランスポンダ内に集積され、電気的な入力ポートに電気的に結合され、かつ前記光トランスポンダの光出力ポートに光学的に結合されたマルチレベル送信器と
を備える光トランスポンダ。
【請求項２】
前記ＤＧＤ軽減器が、光信号の２進調整を実施するように動作可能である、請求項１に記載の光トランスポンダ。
【請求項３】
前記ＤＧＤ軽減器が、カスケード構成に配置された複数の自由空間光エレメントを備える、請求項１に記載の光トランスポンダ。
【請求項４】
前記複数の自由空間光エレメントの少なくとも１つが複屈折性結晶である、請求項３に記載の光トランスポンダ。
【請求項５】
前記複数の自由空間光エレメントがさらに、反射構成で配置される、請求項３に記載の光トランスポンダ。
【請求項６】
前記ＤＧＤ軽減器が、光信号の２つの基本的な偏光モードのうちのそれぞれで動作する、請求項１に記載の光トランスポンダ。
【請求項７】
前記マルチレベル送信器が、複２進符号送信器を含む、請求項１に記載の光トランスポンダ。
【請求項８】
前記マルチレベル送信器が、変動する光回線の色分散（ＣＤ）の影響に対して感度が低い、請求項１に記載の光トランスポンダ。
【請求項９】
前記電気的な出力ポートが、前記電気的な入力ポートに結合され、それにより、中継器を形成する、請求項１に記載の光トランスポンダ。
【請求項１０】
光トランスポンダであって、
前記光トランスポンダ内に集積された、光入力信号を受信し、微分群遅延（ＤＧＤ）の影響を低減し、低減されたＤＧＤ信号を提供するための手段と、
前記光トランスポンダ内に集積された、前記低減されたＤＧＤ信号を電気的な出力信号に変換するための手段と、
前記光トランスポンダ内に集積された、電気的な入力信号を受信し、前記電気的な入力信号のスペクトルを狭くし、前記電気的な入力信号を光出力信号に変換し、かつ前記光出力信号を送信するための手段と
を含む光トランスポンダ。
【請求項１１】
前記光信号の前記ＤＧＤの影響を低減するための前記手段が、ＤＧＤ軽減器を含む、請求項１０に記載の光トランスポンダ。
【請求項１２】
前記電気的な入力信号のスペクトルを狭くする手段が、マルチレベル光送信器を含む、請求項１０に記載の光トランスポンダ。
【請求項１３】
前記マルチレベル光送信器が、複２進符号送信器を含む、請求項１２に記載の光トランスポンダ。
【請求項１４】
光トランスポンダ内に集積された微分群遅延（ＤＧＤ）軽減器を用いて、光入力信号を受信し、かつ処理するステップと、
前記光トランスポンダ内に集積された光受信器を用いて、前記処理された光入力信号を電気的な出力信号に変換するステップと、
電気的な入力信号を受信し、前記電気的な入力信号のスペクトルを狭くし、前記電気的な入力信号を光出力信号に変換し、かつ前記光トランスポンダ内に集積された送信器を用いて前記光出力信号を送信するステップと
を含む方法。
【請求項１５】
光回線のＤＧＤの影響を低減するステップをさらに含む、請求項１４に記載の方法。
【請求項１６】
前記電気的な入力信号を非ゼロ復帰（ＮＲＺ）信号に変換するステップをさらに含む、請求項１４に記載の方法。
【請求項１７】
前記電気的な入力信号を事前コード化するステップをさらに含む、請求項１４に記載の方法。
【請求項１８】
前記電気的な入力信号を、低域通過フィルタリングするステップをさらに含む、請求項１４に記載の方法。
【請求項１９】
レーザ出力を変調された光信号に変調するために、前記低域通過フィルタリングされた電気的な入力信号を使用するステップをさらに含む、請求項１８に記載の方法。
【請求項２０】
前記変調された光信号を送信するステップをさらに含む、請求項１９に記載の方法。
【発明の詳細な説明】
【技術分野】
【０００１】
本発明は、一般に、光システムに関し、より詳細には、光トランスポンダ（ｏｐｔｉｃａｌ  ｔｒａｎｓｐｏｎｄｅｒ）に関する。
【背景技術】
【０００２】
（関連出願の相互参照）
本出願は、「ＳＹＳＴＥＭＳ  ＡＮＤ  ＭＥＴＨＯＤＳ  ＦＯＲ  ＰＯＬＡＲＩＺＡＴＩＯＮ  ＭＯＤＥ  ＤＩＳＰＥＲＳＩＯＮ  ＭＩＴＩＧＡＴＩＯＮ」と題する同時出願の、本願と同一譲受人に譲渡された米国特許出願第１１／５８５６５１号に関連し、その開示を参照により本明細書に組み込む。
【０００３】
最近の光ネットワークでは、信号は、通常、数百または数千キロメートルにもわたって伝送される。長距離および超長距離の光ファイバを越えて移動する光信号は、例えば、減衰、色分散（ＣＤ）、および偏波モード分散（ＰＭＤ）を含む多くの異なる障害に遭遇する。減衰問題は、増幅器（例えば、エルビウム添加ファイバ増幅器）の使用により成功裡に解決されてきたが、ＣＤおよびＰＭＤ問題は、処理するのがはるかに困難であった。
【０００４】
ＣＤは、光ファイバを介する伝送の受信側端で光パルスが広がることにより、データ損失を生ずる可能性のある現象である。この問題に対する１つの解決策は、大きな負の分散係数を有する分散補償ファイバ（ＤＣＦ）の使用を含む。しかし、所与のシステムのＣＤを除去するためには、ＤＣＦの長さが非常に正確でなければならない。すなわち、ＤＣＦのＣＤは非常に大きいので、何らかの余分なファイバ長は、効果よりもむしろ有害となり得る。ＤＣＦの高コストは別として、システムのＣＤが未知である場合の分散を軽減するように適正なＤＣＦを設計することは非常に困難となり得る。さらに、変動するネットワークにおいて、正確にＣＤをキャンセルすることは、非常に複雑な仕事である。したがって、本発明者らは、ＣＤに対する感度の低いデバイスおよびコンポーネントを使用する必要性を認識してきた。
【０００５】
ＰＭＤの場合では、問題はさらに厳しい。ＰＭＤは、ファイバの内側で、光の異なる面（すなわち、偏光方向）が、わずかに（例えば、光ファイバのランダムな欠陥および非対称性に起因して）異なる速度で移動する場合に生じ、それにより、データを高レートで信頼性の高い伝送をすることを困難にする。通常、所与のシステムのＰＭＤは、単一のパラメータ（例えば、その長さ）により特徴付けることはできず、通信回線に沿った全体の履歴を表す一連のパラメータにより記述されなければならない。残念ながら、多くのネットワークは、比較的低ビットレートが必要でかつＰＭＤがまだ潜在的な問題として認識されていなかった時の、その地下埋設物における低品質ファイバで構築されている。そして、これらの構造物がいまや４０Ｇｂ／ｓ以上のビットレートをサポートしなくてはならないので、ＰＭＤはネットワークの性能を高めることに対する大きな障害となっている。
【特許文献１】米国特許出願第１１／５８５６５１号
【発明の要約】
【０００６】
本発明は、例えば、光ネットワークにわたるデータ通信を容易にするために使用することのできる光トランスポンダのためのシステムおよび方法に関する。本発明の一目的は、色分散（ＣＤ）の影響を低減し、長距離の光ファイバに固有の偏波モード分散（ＰＭＤ）を訂正できる集積された光トランスポンダを提供することである。したがって、本発明の諸態様による集積された光トランスポンダは、首都圏および地域ネットワークで使用することができる。本発明の他の目的は、トランスポンダ中に集積された小型で低コストの微分群遅延（ＤＧＤ）軽減デバイスを提供することである。本発明のいくつかの実施形態は、ＤＧＤ軽減デバイスと共に集積された複２進符号送信器（または分散の影響を低減できる他のトランスポンダ）を有する光トランスポンダを備える。本明細書に記載の集積された光トランスポンダの利点の１つは、送信器が、ＤＧＤ軽減器（ｍｉｔｉｇａｔｏｒ）により提示される不足を補償できることであり、その反対も同様である。さらに、本明細書に記載の集積により、コンポーネントが、同じ電子的なインフラストラクチャのいくつかを共用することも可能となり、設計および製作コストが低減される。
【０００７】
例示的な一実施形態では、光トランスポンダは、光トランスポンダ内に集積され、光トランスポンダの光入力ポートに光学的に結合された微分群遅延（ＤＧＤ）軽減器と、光トランスポンダ内に集積され、ＤＧＤ軽減器に、また光トランスポンダの電気的な出力ポートに光学的に結合された光受信器と、光トランスポンダ内に集積され、電気的な入力ポートに電気的に結合され、かつ光トランスポンダの光出力ポートに光学的に結合されたマルチレベル送信器とを備える。
【０００８】
他の例示的な実施形態では、方法は、光トランスポンダ内に集積された微分群遅延（ＤＧＤ）軽減器を用いて、光入力信号を受信し、かつ処理するステップと、光トランスポンダ内に集積された光受信器を用いて、処理された光入力信号を電気的な出力信号に変換するステップと、電気的な入力信号を受信し、電気的な入力信号のスペクトルを狭くし、電気的な入力信号を光出力信号に変換し、かつ光トランスポンダ内に集積された送信器を用いて光出力信号を送信するステップとを含む。
【０００９】
前述の内容は、以下の本発明の詳細な説明をよりよく理解できるように、本発明の特徴および技術的な利点をかなり広く概説してきた。本発明の特許請求の範囲の主題を形成する本発明のさらなる特徴および利点は、この後で述べることになる。開示される概念および特有の実施形態は、変更するための基礎として、または本発明の同様の目的を実施するために他の構造を設計するための基礎として容易に使用できることを当業者であれば理解されたい。このような等価な構成は、添付の特許請求の範囲で述べられた本発明の趣旨および範囲から逸脱していないことも当業者であれば理解すべきである。さらなる目的および利点と共に、その編成と動作方法の両方に関する、本発明の特徴であると考えられる新規な特徴は、添付図に関して検討すれば以下の記述からよりよく理解されよう。しかし、各図は、例示および説明目的のためだけに提供されており、本発明を限定する定義として意図されるものではないことを明確に理解されたい。
【００１０】
本発明をより完全に理解するために、添付の図面に関連して行われる以下の説明を次に参照する。
【発明を実施するための最良の形態】
【００１１】
以下の説明では、本明細書の一部を形成する添付の図面に対して参照が行われ、その図面には、本発明を実施できる特定の諸実施形態が例として示されている。これらの実施形態は、当業者が本発明を実施することができるように十分詳細に述べられており、他の実施形態も使用できること、また本発明の範囲を逸脱することなく構造的、論理的、光学的、かつ電気的な変更を行うことができることを理解されたい。したがって、以下の説明は限定的な意味に解釈されるべきではなく、本発明の範囲は、添付された特許請求の範囲により定義される。
【００１２】
本発明者らは、変動するネットワーク中で色分散（ＣＤ）に対する感度が低く、一方、偏波モード分散（ＰＭＤ）を低減できる光トランスポンダに対する必要性を認識してきた。したがって、本発明の例示的な一実施形態は、２つの相補的なデバイス、すなわち、マルチレベル送信器（例えば、複２進符号送信器）と、１次ＰＭＤまたはＤＧＤ軽減器を集積する。通常、複２進符号送信器は、１次ＰＭＤ（すなわち、微分群遅延またはＤＧＤ）に対して、より感度が高い。しかし、そのスペクトルはより狭いので、複２進符号送信器は、第２および高次ＰＭＤに対して感度が低い。一方、ＰＭＤ軽減器は、主として１次ＰＭＤまたはＤＧＤを低減するように設計され得る。その結果、複２進符号送信器をＤＧＤ軽減器と共に集積することにより、改善された性能および低減されたコストを有する光トランスポンダを提供することができる。
【００１３】
図１を次に参照すると、本発明の例示的な一実施形態による集積された光トランスポンダ１００が示されている。一般に、「光トランスポンダ」とは、光信号を送信し、かつ受信することのできるデバイスのことである。この実施形態では、トランスポンダ１００は、ＤＧＤ軽減器１１０および送信器１３０を単一のデバイスに集積している。ＤＧＤ軽減器１１０の入力は、光入力ポート１１１に光学的に結合される。受信器１２０の入力は、ＤＧＤ軽減器１１０の出力に光学的に結合され、受信器１２０の出力は、電気的な出力ポート１２１に結合される。送信器１３０は、電気的な入力ポート１２９に、また光出力ポート１３１に結合される。一実施形態では、送信器１３０、受信器１２０、およびＤＧＤ軽減器１１５は、内部コントローラ１２５を共用することができる。他の実施形態では、トランスポンダ１００は、光中継器として使用することができ、また電気的な出力ポート１２１は、電気的な入力ポート１２９に結合することもできる。
【００１４】
動作においては、光入力信号が、光入力ポート１１１を介してトランスポンダ１００内のＰＭＤ軽減器１１０に入り、次いで、光入力信号の偏波モード分散が訂正または低減される。ＤＧＤ軽減器１１０は、次いで、ＤＧＤ軽減信号１１５を受信器１２０に送り、受信器１２０は、ＤＧＤ軽減信号１１５をデジタル信号に変換し、そのデジタル信号を電気的な出力ポート１２１を介して送信する。一方、送信器１３０は、電気的な入力信号を入力ポート１２９を介して受信し、その電気的な信号を光信号に変換し、さらにその光信号を出力ポート１３１を介して送信する。例示的な一実施形態では、送信器１３０を複２進符号送信器とすることができ、それはその信号がより狭いスペクトルを有するので色分散を受けにくい。しかし、他の実施形態では、他のタイプのマルチレベル送信器（すなわち、データレートのある割合であり、普通、複数ビットで運ぶ情報を各シンボルが運ぶ「シンボル・レート」で送信することのできる他の任意のデバイス）を使用することもできる。一方、送信器１３０は、電気的な入力ポート１２９を介して電気的な入力信号を受信し、光出力ポート１３１を介して光信号を出力する。前に述べたように、トランスポンダ１００が中継器として使用される用途では、受信器１２０からの電気的な出力信号は、送信器１３０の電気的な入力ポート１２９に直接供給することができる。
【００１５】
図２は、本発明の例示的な一実施形態による、図１に示されたトランスポンダ１００中に集積することのできるＤＧＤ軽減器１１０を示している。ＤＧＤ軽減器１１０は、カスケード構成に配置された複数の自由空間光エレメントを備えており、光信号の偏光の２つの基本モードのそれぞれで動作することができる。入力光信号１０５を２つの部分に分割することができ、１つの部分は第１のコリメータ２０５に達し、他の部分は光検出器２４５に達する。第１のコリメータ２０５に達する入力光信号１０５の部分は、偏光コントローラ２１０、第１の複屈折性結晶２１５、第１の調整可能λ／２プレート２２０、第２の複屈折性結晶２２５、第２の調整可能λ／２プレート２３０、第３の複屈折性結晶２３５、および第２のコリメータ２４０（そのすべては互いに光学的に結合されている）を通過し、それによりＤＧＤ軽減信号１１５が生成される。
【００１６】
光検出器２４５は、光入力信号１０５の一部分を検出し、電気的な信号をＰＭＤ測定および制御ユニット２５０に送信する。ＰＭＤ測定および制御ユニット２５０は、入力光信号１０５の１次ＰＭＤ（すなわち、ＤＧＤ）を測定し、光信号のＤＧＤを訂正または低減するために、第１の複屈折性結晶２１５、および第１と第２の調整可能λ／２プレート２２０、２３０を制御する。例示的な一実施形態では、ＰＭＤ測定および制御ユニット２５０は、「ＳＹＳＴＥＭＳ  ＡＮＤ  ＭＥＴＨＯＤＳ  ＦＯＲ  ＰＯＬＡＲＩＺＡＴＩＯＮ  ＭＯＤＥ  ＤＩＳＰＥＲＳＩＯＮ  ＭＩＴＩＧＡＴＩＯＮ」と題する米国特許出願第１１／５８５６５１号に記載のように設計することができ、その開示を参照により本明細書に組み込む。
【００１７】
光トランスポンダ１００内にＤＧＤ軽減器１１０を集積することにより、光トランスポンダ１００が長距離の光回線にわたる偏波モード分散を訂正することを可能にする。従来技術に対するＤＧＤ軽減器１１０の利点の１つは、光ファイバではなく複屈折性結晶２１５、２２５、２３５を使用することであり、その設計を簡単化する。従来技術に対するＤＧＤ軽減器１１０の他の利点は、より複雑で誤りを受けやすい連続的な調整とは反対に、調整可能プレート２２０および２３０を介する個別の、２進調整（ｂｉｎａｒｙ  ｔｕｎｉｎｇ）セットを提供することである。当業者であれば、容易に理解されるように、ＤＧＤ軽減器１１０は図１の光トランスポンダ１００内に集積することができ、それにより、高性能、低コストでコンパクトなデバイスが得られる。さらに、集積された光トランスポンダ１００内で使用される場合、ＤＧＤ軽減器１１０は１次ＰＭＤを低減することができ、一方、マルチレベル送信器が（そのより狭いスペクトルにより）高次ＰＭＤを軽減することができる。
【００１８】
図２をさらに参照すると、ＤＧＤ軽減器１１０は調整可能デバイスである。さらに、ＤＧＤ軽減器１１０は、有利には、回線の偏光の２つの基本状態の間で動作し、それにより、相対的な調整可能光遅延線を提供する。偏光コントローラ２１０は、結晶２１５、２２５、および２３５の前に設けられ、したがって、偏光の基本状態は、結晶２１５、２２５、および２３５の軸に沿って方向付けられる。結晶２１５、２２５、および２３５は、次いで、ＤＧＤを、回線の偏光の２つの基本状態の間に固定する。
【００１９】
図３を次に参照すると、本発明の例示的な一実施形態による反射構成３００の他のＤＧＤ軽減器は、図１に示す集積されたトランスポンダ１００内のＤＧＤ軽減器１１０を代用することができる。この特定の実施形態は、ＤＧＤ軽減器３００を、トランスポンダ１００中にそのケースを拡大することなく完全に集積できるようにするので有利であり、したがって、小さくコンパクトなデバイスが得られる。具体的には、この実施形態により、結晶２１５、２２５、および２３５は図２のその相当品の半分の寸法を有することが可能になる。この場合、入力光信号は、トランスポンダ１００のケースの内側のいずれかに配置できるファイバ・サーキュレータ３０５を介して、ＤＧＤ軽減器３００に入る。ミラー３１０は、結晶２３５上の高い反射性コーティングの形を取ることができる。例えば、ＤＧＤ軽減器３００が３０±５ｐｓ軽減するように設計されたイットリウム・バナデート（ＹＶＯ４）結晶の場合、結晶２１５、２２５、および２３５の長さは、それぞれ、１１．２５ｍｍ、７．５ｍｍ、および３．７５ｍｍとすることができ、それはＤＧＤ軽減器３００の全体を４０ｍｍよりも小さく製作できることを意味する。
【００２０】
図４に関しては、本発明の例示的な一実施形態による受信器１２０を図１に示されたトランスポンダ１００中に集積することができる。ＤＧＤ軽減信号１１５は、ＤＧＤ軽減器１１０（または３００）を出て、受信器１２０の光検出器４０５に達することができる。光検出器４０５は、ＤＧＤ軽減信号１１５を電気的な信号に変換し、次いで、それは高周波（ＲＦ）増幅器４１０により増幅され、制限増幅器４１５により処理される。最後に、受信器１２０は、出力ポート１２１を介して電気的な出力信号を生成する。
【００２１】
図５は、本発明の例示的な一実施形態に従って、図１に示すトランスポンダ１００中に集積することができる送信器１３０を示している。送信器１３０は、複２進符号送信器であるとして本明細書に示されているが、他のタイプのマルチレベル送信器を代替的に使用することもできる。この実施形態では、入力デジタル信号は入力ポート１２９を介して受信され、非ゼロ復帰（ＮＲＺ）フォーマッタ５０５、プリコーダ５１０、および電気的な低域通過ＲＦフィルタ５１５により、それぞれ、処理される。低域通過フィルタ５１５の出力は、レーザ５２０の出力を変調するマッハ−ツェンダー（ＭＺ）変調器５２５中に供給され、それにより、光出力ポート１３１を介して光信号を出力する。
【００２２】
送信器１３０が複２進符号送信器である場合、元のデジタル信号（例えば、１００１１１０）を送信するのではなく、２つの隣接ビットの和（例えば、１０１２２１）を送る。フィルタに加えて、複２進符号で送信された信号の半値全幅（ＦＷＨＭ）スペクトルは、元のＮＲＺ信号よりも狭い。さらに、低域通過フィルタ５１５を使用することにより、高周波が低減されるが、それは、１つには、複２進符号信号のスペクトルが狭く、したがって、このようなフィルタリングの影響を受けにくいため可能になる。さらに、ＭＺ変調器５２５およびプリコーダ５１０は、送信された信号の（フィールドではなく）強度が、ポート１２９を介する入力デジタルの強度と同一であるように構成することができ、それにより、ＮＲＺフォーマットに基づく、より簡単な動作を可能にする。その狭いスペクトルの結果として、複２進符号送信器１３０は、他の送信器よりも色分散の影響をかなり受けにくく、ＣＤ問題に対してさらにロバストである。さらに、その相対的な簡単さ、およびＣＤの影響に対する不感性のため、複２進符号送信器１３０は、完全なＣＤのキャンセルが非常に複雑である変動するネットワークで非常に有用であり得る。さらに、複２進符号送信器１３０はＤＧＤの影響を受けやすいが、高次ＰＭＤに対する感度は低く、したがって、図２、または図３に示すものなどＤＧＤ軽減デバイスが、図１のトランスポンダ１００などの光トランスポンダの性能を劇的に改善することができる。
【００２３】
本発明のいくつかの例示的な実施形態およびその利点が上記で詳細に述べられてきたが、添付の特許請求の範囲により定義される本発明の趣旨および範囲から逸脱することなく、様々な変更、置換え、および改変を本明細書で行うことができることを理解されたい。さらに、本発明の範囲は、本明細書で示された、プロセス、マシン、製作、手段、方法、およびステップの特定の実施形態に限定されることを意図していない。当業者であればこの開示から容易に理解されるように、本明細書で述べられた対応する諸実施形態と実質的に同じ機能を実施する、または実質的に同じ結果を達成する、既存のまたは後に開発される他のプロセス、マシン、製作、手段、方法、またはステップを、本発明に従って使用することができる。したがって、添付の特許請求の範囲は、このようなプロセス、マシン、製作、手段、方法、またはステップをその範囲内に含むことが意図されている。
【図面の簡単な説明】
【００２４】
【図１】本発明の例示的な一実施形態による集積された光トランスポンダのブロック図である。
【図２】本発明の他の例示的な実施形態によるＤＧＤ軽減器のブロック図である。
【図３】本発明のさらに他の例示的な実施形態による反射構成のＤＧＤ軽減器のブロック図である。
【図４】本発明の例示的な一実施形態による受信器のブロック図である。
【図５】本発明の他の例示的な実施形態による送信器のブロック図である。
【符号の説明】
【００２５】
１００  光トランスポンダ
１０５  入力光信号
１１０  ＤＧＤ軽減器
１１１  光入力ポート
１１５  ＤＧＤ軽減信号
１２０  受信器
１２１  出力ポート
１２５  内部コントローラ
１２９  電気的な入力ポート
１３０  送信器
１３１  光出力ポート
２０５  第１のコリメータ
２１０  偏光コントローラ
２１５  第１の複屈折性結晶
２２０  第１の調整可能λ／２プレート
２２５  第２の複屈折性結晶
２３０  第２の調整可能λ／２プレート
２３５  第３の複屈折性結晶
２４０  第２のコリメータ
２４５  光検出器
２５０  ＰＭＤ測定および制御ユニット
３００  ＤＧＤ軽減器
３０５  ファイバ・サーキュレータ
３１０  ミラー
４０５  光検出器
４１０  高周波（ＲＦ）増幅器
４１５  制限増幅器
５１０  プリコーダ
５０５  非ゼロ復帰（ＮＲＺ）フォーマッタ
５１５  電気的な低域通過ＲＦフィルタ
５２０  レーザ
５２５  マッハ−ツェンダー（ＭＺ）変調器
【図１】
2008139286.tif 000003
【図２】
2008139286.tif 000004
【図３】
2008139286.tif 000005
【図４】
2008139286.tif 000006
【図５】
2008139286.tif 000007
【外国語明細書】
2008139286.tif 000008
2008139286.tif 000009
2008139286.tif 000010
2008139286.tif 000011
2008139286.tif 000012
2008139286.tif 000013
2008139286.tif 000014
2008139286.tif 000015
2008139286.tif 000016
2008139286.tif 000017
2008139286.tif 000018
2008139286.tif 000019
2008139286.tif 000020
2008139286.tif 000021
2008139286.tif 000022
【図１】
2008139286.tif 000023
【図２】
2008139286.tif 000024
【図３】
2008139286.tif 000025
【図４】
2008139286.tif 000026
【図５】
2008139286.tif 000027